(57)【特許請求の範囲】
【請求項１】
掘削機の掘削ヘッドから吐出される固化剤液と掘削機により掘削された掘削原位置土とを混合撹拌して地中壁等を造成するソイルセメントミキシング工法に用いられる吸い込み装置であって、掘削撹拌中に排出される泥水状の余剰液を吸引する吸い込み口に装着される網篭と、この網篭内に挿通されてモータにより回転駆動され半径方向に撹拌羽根が突設された撹拌軸とを有する吸い込みヘッドを備え、前記撹拌軸の軸心に対し偏心した位置に該軸と一体回転するウエイトを有していることを特徴とする振動撹拌吸い込み装置。
【請求項２】
前記ウエイトは、前記撹拌軸の一側に該軸の軸心に対し偏心して設けられている請求項１記載の振動撹拌吸い込み装置。
【請求項３】
前記ウエイトは、前記撹拌軸の撹拌羽根に設けられている請求項１記載の振動撹拌吸い込み装置。
【発明の詳細な説明】
【０００１】
【発明の属する技術分野】
本発明は、ソイルセメントミキシング工法において、掘削撹拌時に排出される泥水泥土を吸引して回収するのに使用して最適な吸い込み装置に係り、特に吸い込みヘッドを改良した振動撹拌吸い込み装置に関する。
【０００２】
【従来の技術】
大規模開削工事において、止水性山留め壁として近年ソイルセメントミキシング工法による連続壁の造成が一般に行われている。
【０００３】
このソイルセメントミキシング工法は、掘削原位置土とセメント系固化剤液とを掘削機による掘削時に混合撹拌して地中壁（または杭）を造成するものであり、造成される地中壁等の均一性の確保、および応力材の挿入性の向上、ならびに掘削機（オーガー）への負荷の軽減のために造成対象土単位体積当り５０〜９０％程度のセメント系固化剤液の注入を必要とするのが一般的である。
【０００４】
そのため前記セメント系固化剤液の注入量に比例する形で泥水状の余剰液が発生し、多くの場合これを自然乾燥させたのち産業廃棄物として処理するようになされている。
【０００５】
しかし、このような廃棄処理では、余剰の固化剤液または混合土を産業廃棄物として処理する工程が必要となり、その産業廃棄物処理対策が極めて大きな負担となっていた。
【０００６】
このような廃棄処理に伴う負担を取り除き、余剰液を回収してリサイクルし、固化剤液の有効利用を図る技術が開発され、実用に供されている。
【０００７】
上記余剰液リサイクルプラントにおいては、図２に例示するように掘削機１の掘削ロッド２の近傍に吸い込み装置３を設置し、この吸い込み装置３の吸い込みヘッド４により掘削中に発生してピット５内に溢出する泥水状の余剰液ＡをポンプＰにより吸引して分離装置へ送り、ここで振動スクリーンとサイクロンとで固化剤余剰液と土砂とを分離したのちプラントへ送り、固化剤余剰液の再利用を図るようにしている。
【０００８】
上記吸い込み装置３は、図３に拡大断面図を示すように、ポンプＰに接続されたホース６の吸い込み口７に泥水泥土に含まれる礫や鉄筋、木片等の固形物を吸い込んでポンプＰを損傷させたり詰まりを生じさせないよううにするため、吸い込みヘッド４にメッシュ材で囲まれた篭状の所謂「蛇篭」と称される網篭８が取り付けられ、この網篭８により上記固形物の吸い込みを防ぐようになされている。
【０００９】
また上記吸い込みヘッド４の網篭８内には、モータＭにより回動される撹拌軸９が垂下され、この撹拌軸９にその半径方向に突設された撹拌羽根１０，１０…と網篭８の内周面に固設された固定羽根１１，１１とにより固化剤余剰液Ａを撹拌して吸い込み効率を高めるようにしている。
【００１０】
【発明が解決しようとする課題】
しかるに上記従来の吸い込み装置３では、図３に示しているように吸い込み時に粘土や土片等が吸引されて網篭８の外周にこれら粘土や木片等が付着物Ｂとして付着し、網篭８のメッシュが目詰りして吸い込み不良を起こし、その都度これら付着物Ｂを除去するための清掃作業を強いられ、その作業が容易でないうえ固化剤余剰液の回収作業を中断しなければならず、作業能率の低下を招くという問題があった。
【００１１】
本発明はこれに鑑み、吸い込み装置の網篭に粘土や木片等の付着を予防し、泥水粘土を継続して吸い込むことを可能とする振動撹拌吸い込み装置を提供することを課題としてなされたものである。
【００１２】
【課題を解決するための手段】
上記課題を解決する手段として本発明は、掘削機の掘削ヘッドから吐出される固化剤液と掘削機により掘削された掘削原位置土とを混合撹拌して地中壁等を造成するソイルセメントミキシング工法に用いられる吸い込み装置であって、掘削撹拌中に排出される泥水状の余剰液を吸引する吸い込み口に装着される網篭と、この網篭内に挿通されてモータにより回転駆動され半径方向に撹拌羽根が突設された撹拌軸とを有する吸い込みヘッドを備え、前記撹拌軸の軸心に対し偏心した位置に該軸と一体回転するウエイトを有していることを特徴とする。
【００１３】
上記ウエイトは、前記撹拌軸の一側に偏心して設けるか、あるいは撹拌軸の一側の撹拌羽根に設けられる。
【００１４】
いずれにおいても、泥水状の余剰液を吸い込むとき、撹拌軸を回転駆動すると、この撹拌軸と一体回転するウエイトの偏心回転により網篭が振動を起こし、余剰液中に含まれる粘土質の土砂や木片等が網篭の外周に付着しても網篭の振動で振り落され、網篭が目詰りすることが防がれ、継続して吸い込み作業を行うことが可能となる。
【００１５】
また網篭を含む吸い込みヘッドが振動することから、ピット内の泥水泥土を撹拌する機能を持ち、これにより土砂の塊が壊されて流動性が与えられ、吸い込まれやすくすることができる。
【００１６】
【発明の実施の形態】
以下、本発明を図面に示す実施の形態を参照し、吸い込み装置は図２を利用して説明する。
【００１７】
図１に示す実施形態は、図３に示した吸い込み装置の吸い込みヘッドに本発明を適用した場合を示しており、この吸い込みヘッド２０は、金網等のメッシュ材により有底円筒状に形成された網篭２１と、この網篭２１の上端の支持部材２２に搭載されたモータＭにより回転自在とされ網篭２１の底部２１ａ近くまで挿入される撹拌軸２３とを有し、この撹拌軸２３には複数枚の撹拌羽根２４，２４…が放射方向に突設され、これら撹拌羽根２４，２４…の上下間には網篭２１の内周に突設された固定羽根２５，２５…が位置されている。
【００１８】
最上位の撹拌羽根２４の上部位置には吸い込み口２６が開口され、網篭２１内の余剰液をポンプＰにより吸引するようになされている。
【００１９】
図１に示す実施形態では、前記撹拌軸２３の一側の該軸２３の軸心に対し偏心した位置に支持部２７を介してウエイト２８が設けられており、撹拌軸２３の回転時にウエイト２８が該軸２３と一体に偏心回動するように構成されている。なおこのウエイト２８は撹拌羽根２４またはその近傍に設けるようにしてもよい。
【００２０】
図において２９は、吸い込みヘッド２０を図２に例示する吸い込み装置のブーム３０に吊持するためのワイヤを示す。
【００２１】
次に上記実施形態の作用を説明する。
【００２２】
吸い込み装置に吸い込みヘッド２０を装着して掘削機の近傍のピット５内に吊り下げ、モータＭを起動して撹拌軸２３を回動させると、ホース６を通じて吸い込まれる泥水状の余剰液が撹拌羽根２４，２４…の回転と固定羽根２５，２５とにより撹拌されて効率よく吸い込まれる。
【００２３】
このとき撹拌軸２３の回転と一体にウエイト２８が偏心回転し、このウエイト２８の偏心回転により撹拌軸２３が振られ、撹拌軸２３が振動回転することにより網篭２１に振動が与えられ、余剰液中の粘土や木片等が網篭２１の外周面に付着しようとしても網篭２１の振動により振り落され、これにより網篭２１の目詰りが防がれて継続して余剰液を吸入し続けることができる。
【００２４】
またピット５内の余剰液Ａ中に浸漬される吸い込みヘッド２０の網篭２１の振動により、ピット５内の泥水泥土状の余剰液が撹拌され、この撹拌作用によりピット５内の土砂の塊りを流動化させて吸い込みやすい状態とする働きを生じる。
【００２５】
これらにより網篭２１を吸い込み作業の途中で清掃する作業が大幅に低減され、余剰液の回収作業の作業能率が著しく高められることになる。
【００２６】
【発明の効果】
以上説明したように本発明によれば、吸い込みヘッドの網篭内に挿通される撹拌軸と一体に偏心回転するウエイトを設けたことにより、網篭内に吸収される泥水泥土を撹拌して吸い込み効率を高めつつウエイトの偏心回転による網篭の振動により網篭の外周面に粘土や木片等の付着物が付着することが防がれ、網篭の目詰りによる吸い込み不良の発生を防止することができ、長時間にわたり継続して吸い込ませることができるので付着物の清掃回数も低減されて余剰液の回収作業の作業能率を著しく高めることができる。
【００２７】
また網篭自体が振動することから、泥水泥土が貯るピット内を撹拌する機能が生じ、この撹拌効果によりピット内の土砂の流動化を促して塊をほぐし、吸い込みやすくすることができる。
【００２８】
さらに網篭にバイブレータのような特別な装置や振動を与えるための動力源を必要とせず、撹拌軸の回転を利用しているだけであるからコストアップを招くことがなく、製作も容易で安価に提供することができる。
【図面の簡単な説明】
【図１】本発明による振動撹拌吸い込み装置の一実施形態を示す断面図。
【図２】掘削時の余剰液の吸い込み態様の一例を示す説明図。
【図３】従来の吸い込み装置を示す断面図。
【符号の説明】
１  掘削機
２  掘削ロッド
３  吸い込み装置
４、２０  吸い込みヘッド
８、２１  網篭
９、２３  撹拌軸
１０、２４  撹拌羽根
２８  ウエイト
【図１】
0003662554.tif 000002
【図２】
0003662554.tif 000003
【図３】
0003662554.tif 000004